(57)【要約】【課題】本発明は新規の犬用リードを提供する。【解決手段】本発明の新規の犬用リードは、ケースと、スプールと、スイッチボタンと、連動部材と、制動レバーとを備える。前記ケースには収容空間が内設され、収容空間には軸芯が設置され、軸芯にはスプールが覆設される。スプールには制動レバーに対応する制動位置が等間隔で設けられる。制動レバーはケース内に枢着され、制動レバーの枢着端は第一スプリングの一端に固着され、第一スプリングの他端は連動部材の自由端に可動に接触される。連動部材はケース内に枢着され、連動部材の枢着端は第二スプリングの一端に固着され、第二スプリングの他端は制動レバーの自由端に可動に接触される。連動部材の枢着端はスイッチボタンに対応し、スイッチボタンはケースの外に延出される。本発明の有益な効果は、上述の構造設計を採用することにより、スイッチボタンと連動部材及び制動レバーとが組み合わせられて、スプールの回転機能の一時停止またはロックを実現させ、制動の信頼性が高まる。【選択図】図１
2018174909.tif 000002
【特許請求の範囲】
【請求項１】
ケースと、スプールと、スイッチボタンと、連動部材と、制動レバーとを備え、前記ケースには収容空間が内設され、前記収容空間には軸芯が設置され、前記軸芯には前記スプールが覆設され、前記スプールには前記制動レバーに対応する制動位置が等間隔で設けられ、前記制動レバーは前記ケース内に枢着され、前記制動レバーの一端は第一スプリングの一端に固着され、前記連動部材は前記ケース内に枢着され、前記連動部材の一端は第二スプリングの一端に固着され、前記連動部材の前記一端は前記スイッチボタンに対応し、
前記スイッチボタンに圧力がかけられると、該スイッチボタンにより前記連動部材の前記一端が押圧され、前記第二スプリングにより前記制動レバーの他端が押圧されて前記制動位置に係止されることを特徴とする新規の犬用リード。
【発明の詳細な説明】
【技術分野】
【０００１】
本発明は、日用品分野に関し、更に詳しくは、新規の犬用リードに関する。
【背景技術】
【０００２】
生活水準が向上し続ける現代において、ペットとしての犬が人々の生活に楽しみを与えており、犬を飼うことが人々の生活の一部となっている。人々が自分の愛犬を外出させて遊ぶ場合、自分の愛犬を見失ったり、人を襲ったりしないようにするため、犬用リードを自分の愛犬に着けて事故を防止しなければならない。
【発明の概要】
【発明が解決しようとする課題】
【０００３】
前述した従来の犬用リードは、ケースと、係止部材と、弾力部材と、スプールと、引張ばねと、ボタンとを備える。ボタンを押すと、ボタンにより係止部材が押されて弾力部材の作用力を克服して回転され、係止部材がスプールに係止されることにより、スプールの回転機能の一時停止を実現することができる。ボタンを押す圧力がなくなると、弾力部材が引張ばねの作用によりボタン及び係止部材をリセットさせる。上述のように、上述の構造による犬用リードは長時間使用された後に制動の信頼性が低下し、使用者の要求を満足させることができない。そこで、本発明者は上記の欠点が改善可能と考え、鋭意検討を重ねた結果、合理的かつ効果的に課題を改善する本発明の提案に到った。
【０００４】
本発明は、このような従来の問題に鑑みてなされたものであり、上記課題解決のため、本発明は、構造が合理的で、制動の信頼性が高い新規の犬用リードを提供することを目的とする。
【課題を解決するための手段】
【０００５】
上述した課題を解決し、上記目的を達成するため、本発明に係る新規の犬用リードの特徴は、ケースと、スプールと、スイッチボタンと、連動部材と、制動レバーとを備える。前記ケースには収容空間が内設され、収容空間には軸芯が設置され、軸芯にはスプールが覆設される。スプールには制動レバーに対応する制動位置が等間隔で設けられる。制動レバーはケース内に枢着され、制動レバーの枢着端は第一スプリングの一端に固着され、第一スプリングの他端は連動部材の自由端に可動に接触される。連動部材はケース内に枢着され、連動部材の枢着端は第二スプリングの一端に固着され、第二スプリングの他端は制動レバーの自由端に可動に接触される。連動部材の枢着端はスイッチボタンに対応し、スイッチボタンはケースの外に延出される。前記スイッチボタン内の端には制動レバーの第一凸部に対応する第二凸部が設けられる。
【発明の効果】
【０００６】
従来の技術と比較し、本発明は以下の有益な効果を有する。
上述の構造設計を採用することにより、スイッチボタンと連動部材及び制動レバーとが組み合わせられて、スプールの回転機能の一時停止またはロックを実現させ、制動の信頼性が高まる。
【図面の簡単な説明】
【０００７】
【図１】本発明に係る新規の犬用リード構成を説明する概略図である。
【図２】本発明のスイッチボタン及び制動レバーを説明する概略図である。
【発明を実施するための形態】
【０００８】
以下に図面を参照して、本発明を実施するための形態について、詳細に説明する。なお、本発明は、以下に説明する実施形態に限定されるものではない。
＜実施形態＞
【０００９】
以下、図１〜２を参照しながら、本発明をさらに詳しく説明する。本発明の新規の犬用リードは、ケース１と、スプール２と、スイッチボタン３と、連動部材４と、制動レバー５とを備える。前記ケース１には収容空間６が内設され、収容空間には軸芯７が設置され、軸芯７にはスプール２が覆設される。スプール２には制動レバーに対応する制動位置８が等間隔で設けられる。制動レバー５はケース内に枢着され、制動レバー５の枢着端は第一スプリング９の一端に固着され、第一スプリングの他端は連動部材４の自由端に可動に接触される。連動部材４はケース内に枢着され、連動部材の枢着端は第二スプリング１０の一端に固着され、第二スプリング１０の他端は制動レバー５の自由端に可動に接触される。連動部材の枢着端はスイッチボタン３に対応し、スイッチボタン３はケース１の外に延出される。前記スイッチボタン内の端には制動レバーの第一凸部１１に対応する第二凸部１２が設けられる。
【００１０】
本発明の作動では、スイッチボタン３に圧力がかけられると、スイッチボタン３により連動部材４の枢着端が押圧され、連動部材４は第二スプリング１０により制動レバー５の自由端を押圧し、第二スプリング１０が圧縮され、制動レバー５が回転し、その自由端が制動位置に係止されて、スプールの回転の一時停止が実現する。また、制動レバー５の第一凸部１１がスイッチボタンの第二凸部に当接され、制動レバー５の自由端が制動位置から退出できなくなる。スイッチボタン３への圧力作用がなくなると、連動部材４を押圧させる外力が消失し、第二スプリング１０が弾性を回復させることにより連動部材４がリセットされる。連動部材４が回転し、その自由端が第一スプリング９を押圧し、第一スプリング９が制動レバー５の枢着端を押圧して、制動レバー５が復位する。
【００１１】
結論として、本発明は上述の構造設計により、従来の技術に存在する不足を解決し、構造が合理的となり、制動の信頼性が高まる等の特徴を有する。
【００１２】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、特許請求の範囲内に含まれるものとする。
【符号の説明】
【００１３】
（１）ケース
（２）スプール
（３）スイッチボタン
（４）連動部材
（５）制動レバー
（６）収容空間
（７）軸芯
（８）制動位置
（９）第一スプリング
（１０）第二スプリング
（１１）第一凸部
（１２）第二凸部
【図１】
2018174909.tif 000003
【図２】
2018174909.tif 000004